(57)【特許請求の範囲】
【請求項１】
グリースガンにおけるグリース押出用のピストン部に一体に設けられたチェーンホルダであって、両端に設けられた円弧状部の間に２本の直線状部が形成された長円環を有するチェーンの長円環を保持するグリースガン用のチェーンホルダにおいて、
チェーンの長円環を挿入するためのチェーン挿入溝部と、
このチェーン挿入溝部のチェーン挿入方向に対して角度を有する方向に設けられ長円環の内空部と嵌合するチェーン嵌着凸部と、
このチェーン嵌着凸部の両側に沿って設けられ長円環の２本の直線状部を回動することにより嵌着して摩擦保持するチェーン嵌着溝部と、
チェーン嵌着凸部の延長上に突出され長円環の円弧状部を係止するチェーン係止部と、
このチェーン係止部の先端からチェーン嵌着溝部よりもチェーン挿入溝部のチェーン挿入方向に突出された鉤形部と
を具備したことを特徴とするグリースガン用のチェーンホルダ。
【発明の詳細な説明】
【技術分野】
【０００１】
本発明は、チェーンの接続部を保持するグリースガン用のチェーンホルダに関する。
【背景技術】
【０００２】
図２はグリースガン１を示し、このグリースガン１は、ノズル部２を有するガンヘッド３と、このガンヘッド３に対向して配置されたピストン部４と、このピストン部４の底部に設けられたチェーンホルダ５に接続されたチェーン６と、ピストン部４をガンヘッド３側へ押圧する圧縮スプリング７と、ピストン部４および圧縮スプリング７を内蔵してガンヘッド３と螺合されるハウジング８と、このハウジング８の底部より引き出されたチェーン６の下端に嵌着された止めリング９とを備えている。
【０００３】
ピストン部４は、ハウジング８の内部に充填されたグリースを、圧縮スプリング７の復元力によりノズル部２に押し出すもので、円板状部4aの周側面に形成された円環状溝に、ゴム製の封止リング4bが嵌着されている。
【０００４】
チェーン６は、ピストン部４を圧縮スプリング７に抗して引き戻すもので、複数の長円環6aを順次係合させて形成する。各々の長円環6aは、両端に設けられた円弧状部6bの間に２本の直線状部6cが形成されている。
【０００５】
チェーンホルダ５は、ピストン部４の円板状部4aに一体成形されたもので、長円環6aの先端の円弧状部6bを挿入するためのチェーン挿入溝部5aと、長円環6aの内空部を嵌着するためのチェーン嵌着凸部5bと、長円環6aの２本の直線状部6cを嵌着するためのチェーン嵌着溝部5cとを備えている。
【０００６】
図３に示されるように、従来のチェーンホルダ５は、長円環6aの円弧状部6bを保持するためのチェーン係止部5dがチェーン嵌着凸部5bの延長上に突出され、このチェーン係止部5dの先端面と段違いに対向するように、所定の間隙5eを介して、弾性を有する成形材料により円板状部4aから突設された長舌状の押え部5fが形成されている。
【０００７】
チェーン係止部5dの先端と押え部5fの先端との間に設定された間隙5eは、長円環6aの一方の円弧状部6bが通ることができない寸法であるが、押え部5fが長舌状の弾性材料であることから、チェーン挿入溝部5aから挿入された長円環6aの先端の円弧状部6bにより、この間隙5eを押し広げるようにして、その円弧状部6bを図３に示されるようにチェーン係止部5dの裏側に挿入して係合させ、その係合部を支点に、長円環6aの他方の円弧状部6bを図３に実線で示されるように回動することで、長円環6aの直線状部6cをチェーン嵌着溝部5cに押し込み、このチェーン嵌着溝部5cにより長円環6aを摩擦保持するようにしている（例えば、特許文献１参照）。
【特許文献１】特許第２５６８４５７号公報（第２−３頁、第１図）
【発明の開示】
【発明が解決しようとする課題】
【０００８】
図３に示された従来のチェーンホルダ５では、輸送中の姿勢によっては、チェーン６の自重および振動などによって、その長円環6aが図３に２点鎖線で示されるようにチェーン嵌着溝部5cから外れる摩擦保持解除状態となることがあり、この摩擦保持解除状態では、チェーン６にひねり力が加わったときに、その長円環6aの円弧状部6bにより長舌状の押え部5fが押し上げられて、間隙5eが拡大し、長円環6aの円弧状部6bがチェーンホルダ５のチェーン係止部5dから脱落することがある。
【０００９】
このような場合は、チェーン６がチェーンホルダ５から脱落したことに気付かずに、グリースガン１を不良品として取扱うことになるか、または、輸送後のグリースガン１を再チェックする人員や手間が必要となる問題がある。
【００１０】
本発明は、このような点に鑑みなされたもので、チェーンの摩擦保持が解除された状態でもチェーンが脱落することを防止できるグリースガン用のチェーンホルダを提供することを目的とする。
【課題を解決するための手段】
【００１１】
本発明は、グリースガンにおけるグリース押出用のピストン部に一体に設けられたチェーンホルダであって、両端に設けられた円弧状部の間に２本の直線状部が形成された長円環を有するチェーンの長円環を保持するグリースガン用のチェーンホルダにおいて、チェーンの長円環を挿入するためのチェーン挿入溝部と、このチェーン挿入溝部のチェーン挿入方向に対して角度を有する方向に設けられ長円環の内空部と嵌合するチェーン嵌着凸部と、このチェーン嵌着凸部の両側に沿って設けられ長円環の２本の直線状部を回動することにより嵌着して摩擦保持するチェーン嵌着溝部と、チェーン嵌着凸部の延長上に突出され長円環の円弧状部を係止するチェーン係止部と、このチェーン係止部の先端からチェーン嵌着溝部よりもチェーン挿入溝部のチェーン挿入方向に突出された鉤形部とを具備したグリースガン用のチェーンホルダである。
【発明の効果】
【００１２】
本発明によれば、チェーンの長円環がチェーン嵌着溝部から外れる摩擦保持解除状態となっても、チェーンがチェーン係止部より脱落するおそれを鉤形部により防止でき、チェーンを引張ることにより、再び長円環の直線状部がチェーン嵌着溝部に嵌着される摩擦保持状態に戻すことができる。これにより、グリースガンのピストン部に一体に設けられたチェーンホルダからチェーンが輸送中に脱落することを防止できるので、このチェーン脱落に気付かずにグリースガンを不良品として取扱うことを防止でき、または輸送後のグリースガンを再チェックする人員や手間を省略できる。
【発明を実施するための最良の形態】
【００１３】
以下、本発明を図１および図２に示された一実施の形態を参照しながら詳細に説明する。なお、図２に示されたグリースガン１は、既に説明したので、その詳細説明は省略する。
【００１４】
図２に示されるように、グリースガン１におけるグリース押出用のピストン部４に、合成樹脂またはアルミニウムなどの非鉄金属の成形材料によりチェーンホルダ５が一体に設けられている。
【００１５】
このチェーンホルダ５に接続されたチェーン６は、複数の長円状線材を順次係合しながら閉じ溶接した複数の長円環6aで構成され、各長円環6aは、両端に円弧状部6bが設けられ、これらの円弧状部6bの間に２本の直線状部6cが形成されている。なお、このチェーンホルダ５で保持されるチェーン６は、少なくとも一端部に長円環6aを有するものであれば、他の部分は必ずしも長円環6aでなくてもよい。
【００１６】
チェーンホルダ５は、図２に示されるように１対のリブ状板5iの先端部間に、チェーン６の長円環6aを挿入するためのチェーン挿入溝部5aが図２水平方向に設けられ、このチェーン挿入溝部5aのチェーン挿入方向（図２水平方向）に対して角度を有する方向（図２上下方向）に、長円環6aの内空部と嵌合するチェーン嵌着凸部5bが設けられ、このチェーン嵌着凸部5bの両側に沿って、長円環6aの２本の直線状部6cを摩擦保持するチェーン嵌着溝部5cが設けられている。
【００１７】
さらに、図１に示されるように、チェーン挿入溝部5a側へのチェーン嵌着凸部5bの延長上には、長円環6aの円弧状部6bを係止するチェーン係止部5dが突出され、このチェーン係止部5dの先端よりチェーン挿入方向（図１上方向）に鉤形部5gが突出され、これらのチェーン係止部5dおよび鉤形部5gの内側に凹溝部5hが形成されている。
【００１８】
次に、この実施の形態の作用効果を説明する。
【００１９】
チェーン６をチェーンホルダ５に装着するときは、チェーン６の先端の長円環6aを、図１下側からチェーン挿入溝部5aに２点鎖線位置まで挿し込み、この位置から図１右側にずらし、鉤形部5gに長円環6aの中空部を嵌合するようにして凹溝部5h上に移動し、この位置から長円環6aを下方に移動して、２点鎖線に示されるように長円環6aの先端の円弧状部6bを凹溝部5hに嵌入する。
【００２０】
この状態で、チェーン６を図１右方へ引張ることで、長円環6aは、凹溝部5h内の円弧状部6bを支点に図１反時計方向に回動して、その直線状部6cが、チェーンホルダ５のチェーン嵌着溝部5cに嵌着され、チェーン嵌着溝部5cにより摩擦保持される。
【００２１】
このチェーン嵌着溝部5cによるチェーン摩擦保持機能により、図１に実線で示された状態が保持されるが、グリースガン１の輸送中の姿勢、チェーン６の弛みおよび振動などによりチェーン６の長円環6aがチェーン嵌着溝部5cから外れる摩擦保持解除状態となることもある。この摩擦保持解除状態では、チェーン６の先端の円弧状部6bがチェーン係止部5dに係合しているが、チェーン係止部5dより脱落するおそれは、鉤形部5gにより防止できる。
【００２２】
このため、チェーン６がチェーンホルダ５により図１に実線で示された摩擦保持状態にあるか、図１に２点鎖線で示された摩擦保持解除状態にあるかを、グリースガン１の外部から判別することはできないが、いずれにしても、鉤形部5gにより、チェーン６の先端の円弧状部6bがチェーン係止部5d上に係止される係止状態が確保されるので、グリースガン１の止めリング９を持ってチェーン６を引張ることにより、再び長円環6aの直線状部6cをチェーン嵌着溝部5cに嵌着する摩擦保持状態に戻すことができる。
【００２３】
そして、グリースガン１のピストン部４に一体に設けられたチェーンホルダ５からチェーン６が輸送中に脱落することを防止できるので、ハウジング８の内部でのチェーン脱落に気付かずにグリースガン１を不良品として取扱うことを防止できる。また、輸送後のグリースガン１を再チェックする人員や手間を省略できる。
【００２４】
なお、図１および図２に示された実施の形態では、チェーンホルダ５はグリースガン１におけるグリース押出用のピストン部４に一体に設けられているが、本発明に係るチェーンホルダ５は、グリースガン以外のチェーン接続保持部分においても利用可能である。
【図面の簡単な説明】
【００２５】
【図１】本発明に係るチェーンホルダの一実施の形態を示す断面図である。
【図２】同上チェーンホルダが用いられたグリースガンの分解斜視図である。
【図３】従来のチェーンホルダを示す断面図である。
【符号の説明】
【００２６】
１    グリースガン
４    ピストン部
５    チェーンホルダ
5a   チェーン挿入溝部
5b   チェーン嵌着凸部
5c   チェーン嵌着溝部
5d   チェーン係止部
5g   鉤形部
６    チェーン
6a   長円環
6b   円弧状部
6c   直線状部
【図１】
0004637697.tif 000002
【図２】
0004637697.tif 000003
【図３】
0004637697.tif 000004